(57)【要約】 【課題】  本発明は、コンクリート製等のタンクの修理等の方法である。【解決手段】  タンク内の水道水２の液面と天井１ｃとの間に風船体１５を設置し、この風船体１５を膨らませて側板に密着状態でタンクの修理等を行う。【選択図】        図１
2006104877.tif 000002
【特許請求の範囲】
【請求項１】
タンク内の水道水の液面と天井との間に風船体を設け、この風船体を膨らませて側板に密着状態で行うことを特徴とするタンクの補修方法。
【請求項２】
風船体を圧縮機を介して風船体の圧力を予め設定の設定圧力値となるように圧力制御をすると共に、タンク液面が予め設定値になるように排出弁を介して制御をすることを特徴とする請求項１のタンクの補修方法。
【請求項３】
風船体を圧縮機を介して風船体の圧力を予め設定の設定圧力値となるように圧力制御をすると共に、風船体に排出弁を取り付け、風船体の圧力が前記設定圧力値より高い上々限値以上になったになったとき排出弁を開にし、前記設定圧力値になったとき閉にすることを特徴とする請求項１のタンクの補修方法。
【請求項４】
風船体を複数個で構成することを特徴とする請求項１から請求項３の何れか１項のタンクの補修方法。
【発明の詳細な説明】
【技術分野】
【０００１】
本発明は、コンクリート製等のタンク内の修理や天井の取替えるタンクの補修方法に関する。
【背景技術】
【０００２】
水道水は、源水を瀘過沈殿したり、塩素で殺菌したりした後に、コンクリート製のタンクに貯蔵され、各家庭等に送水されている。このため、この水道水は、塩素イオンを含有しているので、その塩素イオンが天井に付着し、コンクリート製の天井がぼろぼろになり、破片として落下する事象が生じている。
【発明の開示】
【発明が解決しようとする課題】
【０００３】
そこで、かかるコンクリート製等の天井をペンキにて補修したり、新たな天井に取り替える必要があるが、水道水の送水を止めて行う、即ち、タンクを空にした状態で天井の補修や取り替えを行うことは、水道水の円滑な送水を妨げることになる。
そこで、タンク内に水道水を貯蔵し、その水道水の貯槽として利用しながら、タンク内の修理や不良天井の取り替えが望まれている。
本発明は、かかる要望に沿うタンク内の修理や取り替えるタンクの補修方法を提供するものである。
【課題を解決するための手段】
【０００４】
請求項１のタンクの補修方法は、タンク内に水道水の液面と天井との間に風船体を設置し、この風船体を膨らませたとき側板に密着状態で補修等を行うので、天井を破壊したときに生ずる破片は風船体に載置でき、貯槽中の水道水に落下することがないので、水道水として利用しながら、タンクの修理や不良天井の取り替えができる。
請求項２のタンクの補修方法は、風船体を圧縮機を介して風船体の圧力を予め設定の設定圧力値となるように圧力制御をすると共に、タンク液面が予め設定値になるように排出弁を介して制御をする。
タンクの圧力は設定圧力値に維持されると共に、タンクの液面は風船体に浮力が作用するように制御するので、重量物を風船体に載置することができる。
請求項３のタンクの補修方法は、風船体を圧縮機を介して風船体の圧力を予め設定の設定圧力値となるように圧力制御をすると共に、風船体に排出弁が取り付けてあり、風船体の圧力が前記設定圧力値以上の上々限値以上になったとき排出弁を開にし、設定圧力値になったとき閉にする。
この制御は、液面の変化に対応して風船体の圧力を一定に維持できるので、風船体には浮力が作用し、重量物を載置することができる。
請求項４のタンクの補修方法は、風船体を複数個の小風船体で構成するものである、１個の小風船体が破壊されても他の小風船体によって、破片が水道水の中に落下するのを防止できる。
【発明の効果】
【０００５】
請求項１のタンクの補修方法は、タンク内に水道水の液面と天井との間に風船体を設置するという簡便な方法で、水道水として利用しながら、タンク内の修理や不良天井の取り替えができる。
請求項２のタンクの補修方法は、タンクの圧力は設定圧力値に維持されると共に、タンクの液面は風船体に浮力が作用するように制御するので、重量物を風船体に載置することができる。
請求項３のタンクの補修方法は、液面の変化に対応して風船体の圧力を一定に維持できるので、風船体には浮力が作用し、重量物を載置することができる。
請求項４のタンク補修方法は、風船体を複数個の小風船体で構成するものである、１個が破壊されても他の小風船体によって、破片が水道水の中に落下するのを防止できる。
【発明を実施するための最良の形態】
【０００６】
（第１の実施の形態）
本発明の一実施の形態を図面を参照して説明する。図１は本発明の概念を示す図である。
本願の発明は、タンク内に使用可能な水道水が貯留してあり、タンク１内の水道水の表面と天井との間に風船体を挿入し、天井１ｃの修理を行ったり、或は、取り替えるに当って、落下する落下物を前記風船体で受け止めることによって、水道水を使用しながらの作業を可能にする。
【０００７】
タンク１は円柱状であり、底板１ａ、側板１ｂ及び天井１ｃは鉄筋コンクリート等で作成されている。そして、このタンク１は、通常時には水道水２が満たされていて、一般家庭等に配水する。
そして、使用中のタンクの天井１ｃがぼろぼろになり、破片として落下する事象が生じたとき、天井１ｃの取替え工事が必要である。
【０００８】
しかし、工事中において、タンクを使用不可にして、天井の撤去作業をすることは好ましくないので、タンクを使用可能状態で、天井の撤去方法について説明する。
先ず、タンク１の天井に１ｃに、１箇所でも良いが、２箇所以上の蓋付きの孔（マンホール等）１２を作成すると共に、縁周部に後述する風船体を吊り下げ用のロープを通すロープ孔を形成する。
尚、前記孔１２は、既に既設してあるときには、それを利用すればよく、後述する萎んだ状態の風船体１５を入れることができる大きさであれば良い。
１０は送風圧縮機であり、この圧縮機１０はタンク内の天井１ｃと水道水２の水面との間に挿入する風船体１５を、所定圧力まで膨らませるに必要な能力を備えている。
【０００９】
又、風船体１５は、合成樹脂やカーボン入繊維等の破れ難い材料で製作してあり、この風船体１５を膨らませたときの周縁部が、天井１ｃに密着可能なアーチ状等で天井１ｃに密着可能であると共にタンクの側板１ｂに密着でき、天井１ｃを壊すとき生ずる破片を載置可能な形状であればよい。尚、風船体１５の形状は、天井１ｃに対応する上面がほぼ平坦状の円柱型であってもよく、この風船体１５の形状は、少なくとも、膨らませたとき、天井１ｃから生ずる破片を載置可能な形状、即ち、水道水２の中に破片等が落下しない形状であればよい。
尚、この風船体１５が天井に密着形状であると、天井のコンクリートを破壊したときの破片は、天井の上を転落して、タンク外に落下して風船体１５の上に載らないので、風船体１５は重量物に耐える必要がない。
又、前記圧縮機１０の吐出は、貯蔵タンク１１に接続してあり、この貯蔵タンク１１と送気管１３を介して風船体１５に接続してある。そして、この貯蔵タンク１１には圧力検出器１８が取り付けてあり、貯蔵タンク１１（風船体１５）が設定圧力値になるように、前記圧力検出器１８の検出圧によって前記圧縮機１０を起動、停止する。
即ち、圧縮機１０は、「ＯＮ（起動）」、「ＯＦＦ（停止）」制御を行い、予め設定の下限値以下になると「ＯＮ（起動）」し、上限値以上になると「ＯＦＦ（停止）」する。
【００１０】
又、この風船体１５は、必ずしも必要でないが、ロープ孔（図示略）を介して風船体１５をロープ（図示略）で吊り下げる。従って、水面２が下降したときには、風船体１５はロープで吊り下げられた状態になる。尚、前記ロープ孔（図示略）は、既に、形成されているマンホール等を利用してもよい。
しかし、重量物が風船体１５に載置するときには、前記ロープでは支持できないので、水道水２の水面で風船体１５を浮遊する。そのためには、水道水の液面制御を行うために、タンク１の側面に液面検出器２０を設置する。
又、このタンク１には、バルブ３０を介して水道水をタンク１に入れる送液管３２が設けてある。又、タンク１の側部の下部には排出管３４が設けてあり、排出ポンプ２１に接続してあるし、更に、排出ポンプ２１の吐出側には制御弁２２が取り付けてある。尚、この排出ポンプ２１は、前記液面制御の他、水道水として使用するときに使用することも可能である。
【００１１】
次に、前記構成の作業について説明すると、先ず、風船体１５をタンク１内に挿入すると共に、必要ならば、ロープ（図示略）で吊り下げる。そして、圧縮機１０を「ＯＮ（起動）」し、風船体１５が予め決められた範囲（所定圧）の圧力値になるように、圧力検出器１８で検出した圧力値が上限値以上になったときには「ＯＦＦ（停止）」とし、風船体１５の圧力が低下し、下限値以下になったときには、圧縮機１０を「ＯＮ（起動）」する「ＯＮ、ＯＦＦ」制御を行う。尚、このようなＯＮ、ＯＦＦ制御における設定圧力値は、上限値〜下限値をいう。又、制御方式には前記ＯＮ、ＯＦＦ制御の他に、ＰＩＤ制御方式等であってもよい。
これによって、風船体１５は天井１ｃの下で所定圧状態で膨らみ、天井１ｃを壊すときに生ずる破片等は風船体１５の上に載置し、タンク１内の水道水の中には落下しない。
【００１２】
又、風船体１５を水で浮遊して、重量物を載置できるように、液面検出器２０の液面の変化に対応して、排出ポンプ２１の吐出側に設けてある制御弁２２を制御する。
即ち、設定液面（風船体１５が設定圧力値で膨らんだとき、水面に接触して浮力が作用する液面）になるように、バルブ３０を介して水道水がタンク１に入る量に対して、排出ポンプ２１を介して制御弁２２を制御する。
この液面の制御によって、風船体１５は浮力で支持され、重量物であっても、その風船体１５の上に載置できる。
【００１３】
（第２の実施の形態）
本実施の形態は、液面制御をせずに、風船体１５が水道水の浮力を受ける方式について、図２を参照して説明する。
尚、この第２の実施の形態は、前記第１の実施の形態と同じ部品には同じ符号を附して説明を略す。
この方式に使用する風船体１５は、膨らんだとき、タンクの側面に密着すると共に天井に密着する形状であるが、タンク側面に対応する円柱部の高さを高くする。
例えば、タンク１内の液面が、タンクの高さの１／３〜２／３の範囲で変化すると仮定すると、風船体１５の高さはタンクの高さの１／３になるようにする。即ち、タンクの液面は１／３〜２／３の範囲になるように制御されているとする。
【００１４】
圧縮機１０の吐出は、貯蔵タンク１１に接続してあり、この貯蔵タンク１１と送気管１３を介して風船体１５に接続してある。そして、この貯蔵タンク１１には圧力検出器１８が取り付けてあり、貯蔵タンク１１（風船体１５）が設定圧力値になるように、前記圧力検出器１８の検出圧によって前記圧縮機１０を起動、停止する。
即ち、圧縮機１０は、「ＯＮ（起動）」、「ＯＦＦ（停止）」制御を行い、下限値以下になると「ＯＮ（起動）」し、上限値以上になると「ＯＦＦ（停止）」する。
又、この風船体１５には、排出管４０を介して排出弁４１が取り付けてあり、前記圧力検出器１８の圧力により、前記排出弁４１の開閉を行って風船体１５の圧力制御を行う。
【００１５】
前記構成の風船体１５の圧力制御について説明する。先ず、風船体１５をタンク１内に挿入し、圧縮機１０を「ＯＮ（起動）」し、風船体１５が設定圧力値になるように、圧力検出器１８での検出の圧力値が上限値以上になったときには「ＯＦＦ（停止）」とし、風船体１５の圧力が低下し、下限値以下になったときには、圧縮機１０を「ＯＮ（起動）」する。
これによって、風船体１５は天井１ｃの下で設定圧力値で膨らむと共に、風船体１５は円柱形状により液面により浮力が作用する。
【００１６】
そして、液面が高くなると、風船体１５は圧縮されるので、圧力が上昇し、その圧力が予め設定の上々限値（前記上限値より高い圧力）以上になったときには、排出弁４１を開にして空気を排出し、前記上限値にまで下がったとき閉にする。
一方、液面が低下したときには、風船体１５の圧力は低下し、下限値以下になったときには、圧縮機１０を「ＯＮ（起動）」し、風船体１５の圧力が上限値になったとき停止する。
以上の制御により、風船体１５の圧力は、上限値〜下限値の間の圧力を維持すると共に、水位の変化に対応して、常時、浮力の作用を受けることができる。
【００１７】
以上のように、タンク内に風船体を挿入し、その風船体を膨らますことによって、天井の修理、天井の取替え等に伴う落下物の貯留の水道水内への落下防止が可能であると共に水道水の使用ができる。
又、水道水による浮力を利用すると、風船体には重量物を載置することができ、その浮力を受けるための制御方式は前記方式に限定されないし、このような自動制御方式に替えて、手動操作で行ってもよいことは言うまでもない。
【００１８】
（第３の実施の形態）
本実施の形態は、風船体１５を複数個１５ａ〜１５ｆで構成し、１個が破壊されても、他の風船体は風船の機能を果たすものであり、その概念図を図３に示す。尚、複数個の小風船体は、図３に示すように１個の風船体を複数個に分割形成してもよいし、各々独立の小風船体を隙間なく連結して形成してもよい。
又、分割された個々の小風船体１５ａ〜１５ｆは、前記第１、２の実施の形態の風船体１５に対応するものであるが、これらの小風船体１５ａ〜１５ｆの個々に対して圧力制御を行う点が相違する。
即ち、圧縮機１０の吐出は、貯蔵タンク１１に接続してあり、この貯蔵タンク１１は圧力制御装置で圧力制御され、配管等を介して各小風船体１５ａ〜１５ｆに接続してあり、それぞれの小風船体１５ａ〜１５ｆは圧力制御装置を介して予め設定された圧力値を維持する。
【００１９】
前記小風船体１５ａ〜１５ｆを前記第１の実施の形態に適用すると、水道水の液面が制御され、小風船体１５ａ〜１５ｆは浮力によって重量物を支持できる。  又、前記小風船体１５ａ〜１５ｆを前記第２の実施の形態に適用すると、水道水の液面によって、小風船体１５ａ〜１５ｆの圧力が上昇したときには、各小風船体１５ａ〜１５ｆに付設の排出弁４１ａ〜４１ｆ（図示略）によって、小風船体１５ａ〜１５ｆの圧力は一定に維持される。
以上のように、複数の小風船体１５ａ〜１５ｆで構成することによって、１個の小風船体が破壊されても、他の風船体によって、破片等が水道水の中に落下するのを防止できる。
【００２０】
尚、前記の風船体は、１個以上の小風船体で、タンクの天井（又は全水面）を覆う１層の構成であるが、上列と下列の２層以上で構成してもよく、風船体の分割数や構成方式は適宜選択できる。
又、前記各実施の形態において、風船体の圧力制御、タンク内の水道水の液面制御を行う旨が記載してあるが、これらの制御は必ずしも行う必要はなく、単に、所定圧力に膨らました風船体をタンク内の液面と天井との間に設けることであってもよい。
又、本願の発明は、タンク天井を撤去するときばかりでなく、タンク天井を撤去後に、新たなタンクを設置する場合、或はタンク内の修理においても有効であることは言うまでもないし、天井が鉄筋コンクリートで作成されている他、他の材質で形成されていてもよい。
【図面の簡単な説明】
【００２１】
【図１】本発明の第１の実施の形態の概念を示す図である。
【図２】本発明の第２の実施の形態の概念を示す図である。
【図３】複数個の小風船体で構成の場合の概念図である。
【符号の説明】
【００２２】
１  タンク
１ｂ  側板
１ｃ  天井
１０  圧縮機
１２  孔
１５  風船体
１８  圧力検出器
４１  排出弁
【図１】
2006104877.tif 000003
【図２】
2006104877.tif 000004
【図３】
2006104877.tif 000005